(57)【特許請求の範囲】
【請求項１】
グリル庫内に被調理物を載置してバーナの燃焼熱により該被調理物を加熱調理し、器体上面に設けられた覗き窓から該被調理物の焼け具合を確認可能なガスグリル付きテーブルこんろにおいて、
上記覗き窓と上記グリル庫内の調理スペースとの間に開閉可能に設けられ、閉状態である時は上記被調理物から飛散してくる油の該覗き窓への付着を防止する汚れ防止手段と、
上記汚れ防止手段を開閉操作する開閉操作手段と、
上記グリル庫内を照らす照明手段と、
上記開閉操作手段の開操作に連動して上記照明手段を点灯させ、閉操作に連動して消灯させる連動機構と
を備えたことを特徴とするガスグリル付きテーブルこんろ。
【請求項２】
上記汚れ防止手段を上記照明手段と上記調理スペースとの間を仕切るようにして設けたことを特徴とする請求項１記載のガスグリル付きテーブルこんろ。
【請求項３】
上記汚れ防止手段は、通常は付勢により閉成され、開操作により開成されることを特徴とする請求項１または２記載のガスグリル付きテーブルこんろ。
【発明の詳細な説明】
【０００１】
【発明の属する技術分野】
本発明は、魚等の被調理物をグリル庫内で加熱調理するガスグリル付きテーブルこんろに関する。
【０００２】
【従来の技術】
従来からガスグリル付きテーブルこんろは、例えば、図１６に示すように、グリル庫１１２から被調理物Ｆを出し入れするための開閉扉６１にガラス製の回動窓６１ａを備え、調理中の被調理物Ｆの焼け具合を確認できるように構成されている。
この焼け具合を更に確認し易くするために、特開平５−２８５０５２においては、器体のトッププレート１１０の手前中央に長方形の下窓孔１１０ａを開口し、グリル庫１１２の天井部となるグリル天板１３０に透光性の覗き窓１４０を設けたグリル１０１が知られている。
このグリル１０１は、覗き窓１４０を通してグリル庫１１２内に採光が得られるので、覗き窓１４０を覗くことにより、立った姿勢のままグリル庫１１２内の被調理物Ｆの焼け具合を随時確認できる。
【０００３】
【発明が解決しようとする課題】
しかしながら、室内が暗かったり、室内照明を背にしてグリル庫を覗く場合には、グリル庫内に十分な採光が得られず、グリル庫内の様子が分かりにくかった。
【０００４】
別の焼け具合を確認し易くする方法として照明部材を設ける方法があり、例えば、特開平１１−１５５７４０においては、グリル庫内のバーナの燃焼炎にあぶられる位置に金属もしくはセラミックからなる照明部材を設けてこの照明部材を赤熱させることにより、調理中ずっとグリル庫内を照明するグリルが知られている。
しかしながら、バーナの燃焼中はずっと照明部材を赤熱させ続けるため、照明部材の耐久性が悪かった。
【０００５】
本発明のガスグリル付きテーブルこんろは上記課題を解決し、簡単な操作でグリル庫内の被調理物の焼け具合を良好に確認でき、しかも照明部材の耐久性を向上するガスグリル付きテーブルこんろを提供することを目的とする。
【０００６】
【課題を解決するための手段】
上記課題を解決する本発明の請求項１記載のガスグリル付きテーブルこんろは、
グリル庫内に被調理物を載置してバーナの燃焼熱により該被調理物を加熱調理し、器体上面に設けられた覗き窓から該被調理物の焼け具合を確認可能なガスグリル付きテーブルこんろにおいて、
上記覗き窓と上記グリル庫内の調理スペースとの間に開閉可能に設けられ、閉状態である時は上記被調理物から飛散してくる油の該覗き窓への付着を防止する汚れ防止手段と、
上記汚れ防止手段を開閉操作する開閉操作手段と、
上記グリル庫内を照らす照明手段と、
上記開閉操作手段の開操作に連動して上記照明手段を点灯させ、閉操作に連動して消灯させる連動機構と
を備えたことを要旨とする。
【０００７】
また、本発明の請求項２記載のガスグリル付きテーブルこんろは、上記請求項１記載のガスグリル付きテーブルこんろにおいて、
上記汚れ防止手段を上記照明手段と上記調理スペースとの間を仕切るようにして設けたことを要旨とする。
【０００８】
また、本発明の請求項３記載のガスグリル付きテーブルこんろは、上記請求項１または２記載のガスグリル付きテーブルこんろにおいて、
上記汚れ防止手段は、通常は付勢により閉成され、開操作により開成されることを要旨とする。
【０００９】
上記構成を有する本発明の請求項１記載のガスグリル付きテーブルこんろは、汚れ防止手段を開閉操作する開閉操作手段と照明手段とを連動させる連動機構を備えるため、汚れ防止手段の開操作をすると、覗き窓からグリル庫内を視認でき、しかも自動的に照明手段が点灯し、被調理物の焼け具合を良好に確認できる。
確認後、汚れ防止手段の閉操作をすると、汚れ防止手段が閉じ、被調理物から油が飛散してきても覗き窓に付着しないようにして覗き窓が汚れることを防止でき、しかも、この閉操作により自動的に消灯する。
【００１０】
また、本発明の請求項２記載のガスグリル付きテーブルこんろは、汚れ防止手段を照明手段と調理スペースとの間を仕切るようにして設けたため、汚れ防止手段が閉まっている時は、汚れ防止手段によって照明手段が調理スペースから隠れ、被調理物から飛散する油が照明手段に付着しない。
従って、長期に渡ってグリルを使用しても、照明手段は汚れにより照度が弱まることなく、被調理物の焼け具合を良好に確認できる。
【００１１】
また、本発明の請求項３記載のガスグリル付きテーブルこんろは、汚れ防止手段が閉方向に付勢されているため、通常は被調理物からの焼き油によって覗き窓が汚れることを防止する。
また、開操作により汚れ防止手段が開成されると共に照明手段が点灯するため、覗き窓から被調理物の焼け具合を良好に確認できる。
汚れ防止手段の開操作を止めると、わざわざ閉操作をしなくても自動的に汚れ防止手段が閉まり、必要時以外は被調理物からの焼き油を汚れ防止手段によって遮ることができるため、覗き窓が汚れにくく、しかも、照明手段も自動的に消灯され、照明手段を無駄に点灯させることがない。
【００１２】
【発明の実施の形態】
以上説明した本発明の構成・作用を一層明らかにするために、以下本発明のガスグリル付きテーブルこんろの好適な実施形態について説明する。
【００１３】
《第１実施形態》
本発明の第１実施形態としてのガスグリル付きテーブルこんろについて図１〜図９を用いて説明する。
テーブルこんろは、図９に示されるように、トッププレート１０に左右２組のこんろバーナ７４ａ，７４ｂが設けられ、それらの周囲に設けられた五徳７５ａ，７５ｂ上に図示しない調理鍋を載せ、テーブルこんろの前面に設けられる操作ボタン７１ａ，７１ｂを押すことにより、それぞれのこんろバーナ７４ａ，７４ｂが点火され、調理鍋が加熱されるものである。
こんろバーナ７４ａ，７４ｂ間の器体の中心部には、魚等の被調理物を焼くためのグリル１が設けられ、操作ボタン７１ｃを押して点火し加熱調理が行われる。
【００１４】
このグリル１は、図１〜図３に示すように片面焼きタイプのグリルで、被調理物Ｆを加熱調理するグリル庫１２を備える。
グリル庫１２には、上段左右側面に設けられ燃料ガスを燃焼させて被調理物Ｆを加熱するバーナ２０と、中段に設けられ被調理物Ｆを載せる焼網２２と、底部に設けられ焼網２２を載せたまま手前にスライドさせて引き出すことができる受皿２４とを備える。
【００１５】
グリル庫１２の正面中央には、受皿２４と一体的に固定され受皿２４を手前に引き出す取手６２と、受皿２４を引き出す時に連動して開閉する開閉扉６１とが設けられ、その開閉扉６１にはガラス製の回動窓６１ａが設けられる。
取手６２を手前に引き出すと、取手６２に固定された受皿２４がグリル庫１２の底面をスライドし、受皿２４に載置された焼網２２が同時に引き出される。
【００１６】
グリル庫１２の左右側面に設けたバーナ２０は、多孔質セラミックの平面プレートに多数の小炎口を貫通させた燃焼面を有し、燃焼に必要な空気の殆どを一次空気として吸入する全一次空気式のバーナである。
尚、バーナ２０に臨んで図示しない点火電極が設けられる。
【００１７】
グリル庫１２の背部には、仕切壁５２を介して排気室５０を併設し、この仕切壁５２に開口してグリル庫１２と排気室５０とを連通する連通口５４を焼網２２よりも下方に設けている。従って、バーナ２０から発生した燃焼排気をいったん庫内に充満させた後、排気室５０を介して排気口５１より排出されるよう排気路を構成している。
【００１８】
トッププレート１０には、五徳７５ａ，ｂの手前中央に、図８に示されるように、グリル庫１２内の被調理物Ｆを確認するための長方形の下窓孔１０ａが横長に開口される。グリル庫１２の天井部となるグリル天板３０は、トッププレート１０より低い位置に形成され、その手前側には、筒状で上部ほど狭く形成された突出枠３０ａが下窓孔１０ａから突き出て設けられ、その上端全周を内側へ折り曲げて窓取付部３０ｂが形成される。この窓取付部３０ｂは、奥側ほど若干高く傾斜して形成され、その内周は、長方形の上窓孔３０ｆとして形成される。
突出枠３０ａは、前部３０ｃと後部３０ｄと左右の鉛直面となる側部３０ｅとからなる。この側部３０ｅの左右外側には、コの字形状のスペーサ３９を介して、先端を内側に折り曲げた引掛片３７ａを形成する板バネ３７が立設される。
【００１９】
また、上窓孔３０ｆの上には、図４，図５に示されるように、覗き窓組立３８が設けられる。この覗き窓組立３８は、上窓孔３０ｆより大きい長方形状の耐熱ガラスで形成された覗き窓４０と、覗き窓４０の前後に設けられ覗き窓４０の前後の移動を制限する前後押さえ３４と、覗き窓４０の左右に設けられ覗き窓４０を下から支える窓受け３６と、覗き窓４０の外周を上から覆う外枠３５と、覗き窓４０と外枠３５との隙間を埋めるパッキン３２と、外枠３５の外周に嵌着されるパッキン枠６４とにより構成される。
【００２０】
覗き窓組立３８の窓受け３６は、図４〜図７に示されるように、覗き窓４０の左右側面に当接する垂直面３６ａと、覗き窓４０の下面を支えるために垂直面３６ａの前後下部を水平に内側に曲げた支え面３６ｂ，３６ｃと、垂直面３６ａと同一面で支え面３６ｂと支え面３６ｃとの間から下方に伸びて形成され板バネ３７の引掛片３７ａを掛止するバネ孔３６ｅが開口されたバネ受け部３６ｄと、カシメ用の水平鍔部３６ｆとを備える。尚、図７は、外枠３５とパッキン枠６４とを組み付ける前の覗き窓組立３８を示す。
【００２１】
一方、覗き窓組立３８の前後押さえ３４は、覗き窓４０の前面と後面とに当接する垂直面３４ａと、垂直面３４ａの上端から外側（覗き窓４０から見て）へ下向きに傾斜する傾斜面３４ｂと、カシメ用の水平鍔部３４ｃとからなる。
覗き窓組立３８は、窓受け３６の支え面３６ｂ，３６ｃの上に覗き窓４０を載置し、前後押さえ３４を覗き窓４０の前後に並べ、覗き窓４０上にパッキン３２を載せて、外枠３５によって覗き窓４０を上から覆い、窓受け３６の水平鍔部３６ｆと前後押さえ３４の水平鍔部３４ｃとを外枠３５の外周でかしめて、その外枠３５の外周を、上下段に水平内周切り込みの入ったパッキン枠６４の上段切り込みにはめて一体となる。
【００２２】
こうして形成される覗き窓組立３８は、図５，図８に示されるように、グリル天板３０の窓取付部３０ｂに長方形リング形状の断熱材３３を載置した上から押さえられ、窓受け３６のバネ孔３６ｅにグリル天板３０の板バネ３７の引掛片３７ａがはまって突出枠３０ａに固定される。
この時、断熱材３３が押し潰されて窓取付部３０ｂと覗き窓４０とに密着するため、調理鍋から煮汁がふきこぼれても上窓孔３０ｆを通ってグリル庫１２に入ることはない。また、断熱材３３は、グリル庫１２の熱によるトッププレート１０への加熱を抑えると共に、グリル庫１２から燃焼排気がトッププレート１０へ流出することを防止する。
しかも、パッキン枠６４がトッププレート１０上面に接する際、パッキン枠６４の下段切り込みがクッションとなるため、トッププレート１０上面が外枠３５により傷つくことを防止する。
【００２３】
一方、覗き窓組立３８を取り外す時は、外枠３５を上方に引っ張って板バネ３７の引掛片３７ａをバネ孔３６ｅから外す。このように取り外すことにより、調理鍋から直接煮汁がかかって覗き窓４０が汚れても、水洗いすることができる。
【００２４】
覗き窓４０の下方には、図１〜図３に示されるように、覗き窓４０を下から覆うような位置に回動扉８１が設けられる。尚、図１および図３は、回動扉８１の開状態を示し、図２は、閉状態を示している。
この回動扉８１の両側には扉支持片８１ａが設けられ、突出枠３０ａの側部３０ｅの手前上方に貫通されるリンク棒８２を扉支持片８１ａに挿通して回動扉８１が軸支される。このリンク棒８２は、左右の扉支持片８１ａ間を曲折して設けられ、その途中で回動扉８１の掛止片８１ｂと連結され、回転扉８１と共に回動可能となる。
回動扉８１を開閉操作するために、リンク棒８２の右端となるアーム連結部８２ａがＬ型アーム８３と連結される。
このＬ型アーム８３は、図３に示される支え板８４の支点８４ａを中心に上下に回動可能に設けられ、図９に示されるように、その先端が器体前面に形成された縦長のレバー開口７２から突き出てつまみ８６が嵌着される。
また、グリル庫１２上部には、図１に示されるように、Ｌ型アーム８３の上部先端を図面左方向へ付勢する引っ張りバネ８５が設けられる。
【００２５】
従って、Ｌ型アーム８３が引っ張りバネ８５により図１の反時計回り方向に付勢され、回動扉８１は図２に示されるように、覗き窓組立３８に当接する閉位置（上）に至って静止する。
一方、つまみ８６を開位置（下）へ回動させると、Ｌ型アーム８３，リンク棒８２を介して回動扉８１が図面反時計回り方向へ回動して突出枠３０ａの下方手前側へ隠れて、グリル庫１２内に光が差込み、グリル庫１２内の様子をグリル庫１２の奥の方まで確認できるようになる。
【００２６】
グリル天板３０の前部３０ｃの中央で回動扉８１の上方には、グリル庫１２内を照らすランプ５５が設けられ、グリル庫１２底面には、ランプ５５の電源供給源となる乾電池５８が設けられ、また、Ｌ型アーム８３の下方には、ランプ５５用の照明スイッチ５６を備えたスイッチ台５７が設けられる。この照明スイッチ５６は、Ｌ型アーム８３が下降して押されている間のみオンになるように配置される。
【００２７】
上述したグリル付テーブルこんろによれば、操作ボタン７１ｃを押すと、バーナ２０へのガス流路を開閉する開閉弁が開弁され、バーナ２０から燃料ガスが噴出されると共に、点火電極の連続放電により点火する。
調理中にバーナ２０で発生した高温の燃焼排気は、いったんグリル庫１２の上部に溜まり連通口５４から溢れて、排気室５０を介して排出される。従って、被調理物Ｆは、輻射熱と滞留した排気熱とにより加熱され、被調理物Ｆが効率良く調理される。
【００２８】
通常、つまみ８６は引っ張りバネ８５に付勢されて閉位置にあり、回動扉８１が閉まっているため、調理中に被調理物Ｆからの焼き油Ｇや油煙が覗き窓４０に付着することはない。
調理の様子を確認したい時は、つまみ８６を開位置へ操作することにより回動扉８１を開けグリル庫１２内を覗くことができ、しかも、開閉操作と同時に、Ｌ型アーム８３が照明スイッチ５６を押してランプ５５が自動的に点灯し、被調理物Ｆを照明する。
確認後、つまみ８６から手を離すと引っ張りバネ８５の付勢力により自動的に閉位置に戻り、回動扉８１が閉まって再び覗き窓４０が油によって汚れることを防止する。同時に、ランプ５５は自動的に消灯する。
【００２９】
従って、照明の切り替えのための専用操作をしなくても回動扉８１の開操作をするだけでよく、操作が簡単で使い易い。
更に、ランプ５５を点灯させるための手動操作部（例えばレバー）を開閉扉８１の開閉装置（Ｌ型アーム８３等）とは別に設けなくてもよく、製造コストを抑えることができ、しかも、この手動操作部のためのスペースが要らず、グリル庫１２を広々と使用することができる。
また、つまみ８６を操作しない限り、回動扉８１が引っ張りバネ８５の付勢力により常に閉じているため、閉め忘れにより覗き窓４０が汚れてしまうといった不具合を防止できる。
同様に、ランプ５５の消し忘れも防止できる。つまり、被調理物Ｆの焼け具合を確認したい時だけランプ５５が点灯するため、ランプ５５および乾電池５８の寿命が延び、長期に渡ってランプ５５および乾電池５８を使用することができる。
【００３０】
被調理物Ｆの焼け具合を確認しない時は、覗き窓４０と同様に回動扉８１によりランプ５５が調理スペースから隠れるため、ランプ５５に被調理物Ｆから飛散してくる汚れＧが付着することを防止できる。
従って、長期に渡ってランプ５５を使用しても、油汚れの付着によって暗くなることがなく、被調理物Ｆの焼け具合を良好に確認できる。
また、回動扉８１の開閉操作とランプ５５の点灯・消灯切り替え動作との間に遅れが生じないので、開閉扉８１が開いている時は常にランプ５５が点灯しており、すぐに被調理物Ｆの焼け具合を確認できて使い勝手が良い。
【００３１】
また、覗き窓４０を傾斜して設けてグリル庫１２内の奥の方まで見ることができるため、覗き窓４０の奥行寸法が短くてよく、狭い五徳７５ａ，ｂ間に覗き窓４０を設ける必要が無く、幅の大きな覗き窓４０を設けて、グリル庫１２内の左右両端まで隅々見ることができる。しかも、五徳７５ａ，ｂ間に覗き窓４０を設けないため、グリル調理の熱が覗き窓４０越しに調理鍋の取手に伝わって過熱することがなく、安全である。
【００３２】
覗き窓４０の汚れが気になる場合には、覗き窓組立３８の外枠３５の外周をつかんで覗き窓組立３８を器体から簡単に取り外して、汚れた覗き窓組立３８を水洗いすることができ、再び良好に被調理物Ｆの焼け具合を確認できる。
【００３３】
加えて、覗き窓４０がグリル天板３０よりも高い位置の窓取付部３０ｂにあって被調理物Ｆから遠ざかるため、加熱調理中に回動扉８１を開けていても、被調理物Ｆから飛び散った焼き油Ｇや油煙が覗き窓４０に付着しにくく、しかも、覗き窓４０がグリル庫１２内の雰囲気により加熱されにくい。また、回動扉８１により覗き窓４０やランプ５５が過熱されることを防止する。加えて、覗き窓４０が器体外部の空気により冷却される。
この結果、煮汁，焼き油Ｇや油煙が覗き窓４０に焦げ付きにくくなり、視界を確保できて被調理物Ｆの焼け具合を良好に確認できる。
【００３４】
《第２実施形態》
次に、第２実施形態について図１０を用いて説明する。尚、第１実施形態と異なる部分について説明し、重複する部分に関しては同一符号を付してその説明を省略する。第２実施形態は、第１実施形態のランプ照明に代えて、炎色反応を起こす金属またはその化合物を用いた炎色反応照明を利用した点のみ異なる。
【００３５】
グリル２には、バーナ２０にガスを供給するためのガスパイプ２６が設けられ、このガスパイプ２６の先端に、バーナ２０のガス供給口にガスを噴射するノズル２７が臨設される。このガス供給口には、一次空気量を調節するダンパー２８が嵌着される。
ダンパー２８の下方近傍には、気化混合装置を構成する容器６６が載置される。この容器６６には、塩化ナトリウムに潮解性を有する物質（ＭｇＣｌ２等）を含有させた炎色反応源６５が収容されている。
また、容器６６の上方には、イグナイター６８に接続された電極６７が設けられ、また、イグナイター６８用の照明スイッチ５６がＬ型アーム８３に当接可能に設けられる。
【００３６】
上述したグリル付テーブルこんろにおいて、調理の様子を確認したい時は、つまみ８６を開位置へ操作することにより、回動扉８１が開くと共に、Ｌ型アーム８３が照明スイッチ５６を押してイグナイター６８が作動して電極６７から容器に連続放電させる。炎色反応源６５の表面が湿っているため、スパークの通路が確保され、電極６７からの放電により塩化ナトリウムのイオンが局部加熱を起こし瞬時に気化を開始する。気化した塩化ナトリウムは、燃料ガス，一次空気と共にバーナ２０内に吸引され混合される。この時の炎色は、通常の青色からナトリウムの炎色反応による黄色となって、バーナ２０全体でグリル庫内を万遍なく照明する。
確認後、つまみ８６から手を離すと引っ張りバネ８５の付勢力により自動的に閉位置に戻り、回動扉８１が閉まると同時に、電極６７の放電が止まり、塩化ナトリウムは気化しなくなり、炎色は通常の青色に戻る。
【００３７】
従って、回動扉８１の開操作をするだけで、自動的に炎色が黄色となって庫内照明を行い、使い勝手が良い。つまり、照明の切り替えのための専用操作をしなくてもよく、操作が簡単で使い易い。
また、第１実施形態のグリル付テーブルこんろと同様に、照明のための手動操作部を開閉扉８１の開閉装置とは別に設けなくてもよく、製造コストを抑えることができる。
また、つまみ８６を操作しない限り、Ｌ型アーム８３の照明スイッチ５６との当接部が引っ張りバネ８５の付勢力により常に持ち上げられているため、庫内の様子を確認しない時は電極６７が放電せず、塩化ナトリウムが気化することはない。従って、炎色反応源６５および乾電池５８の寿命が延び、長期に渡って炎色反応源６５および乾電池５８を使用することができる。
【００３８】
また、この照明方法では、照明装置がグリル庫外に設けられるため、回動扉８１が開いている状態でも、照明装置が被調理物Ｆからの油によって汚れることはない。
【００３９】
《第３実施形態》
次に、第３実施形態について図１１〜図１５を用いて説明する。尚、第１実施形態と異なる部分について説明し、重複する部分に関しては同一符号を付してその説明を省略する。
第３実施形態は、第１実施形態のランプ照明に代えて、セラミックスや金属からなる照明部材をバーナの火炎であぶって赤熱させる赤熱照明を利用した点のみ異なる。尚、図１１，図１３，図１５（ａ）には回動扉８１を開けた場合を、図１２，図１４，図１５（ｃ）には閉じた場合を、図１５（ｂ）にはその中間の場合を図示している。
【００４０】
グリル３には、図１１，図１３に示されるように、バーナ２０の上部に移動可能に設けられるアルミナ製のセラミック棒９１と、セラミック棒９１を先端２ヶ所で支持するコの字形状の揺動板９４と、揺動板９４の平行な２枚板をグリル天板９２で軸支する軸９６と、揺動板９４をグリル庫外で下方に付勢する引っ張りバネ９５と、回動扉８１と揺動板９４とを連動させるＳ型アーム９３とが備えられる。
【００４１】
Ｓ型アーム９３は、図１１，図１２に示されるように、第１実施形態のＬ型アーム８３の奥側のアーム先端９３ａを更に奥方向に伸ばしたものであり、そのアーム先端９３ａは、つまみ８６が上方にある時は下方に位置し、下方にある時は上方に位置する。
グリル天板９２には、左右２個ずつ天板孔９２ａが開口され、この孔９２ａから切り起こされた支持片９２ｂには、軸９６を挿入可能な支持片孔９２ｃが開口される。
揺動板９４は、図１３，図１４に示されるように、平行な２枚の板の先端に開口された支持孔９４ａにセラミック棒９１を挿入して支持する。この２枚の平行板は、天板孔９２ａに挿入して設けられ、中間位置には軸孔９４ｂが開口され、軸９６をこの軸孔９４ｂおよび支持片孔９２ｃに挿入して軸支される。
この揺動板９４の手前側（グリル庫の外側）の板には、位置決め溝９４ｃが下方から切り欠かれ、その位置決め溝９４ｃにアーム先端９３ａをはめ込むことにより引っ張りバネ９５でアーム先端９３ａを下方へ付勢している。
【００４２】
これらの具体的な位置関係を説明する。
つまみ８６を操作しない限り、Ｓ型アーム９３のアーム先端９３ａは、引っ張りバネ９５により下方へ付勢された揺動板９４に押し下げられて、回動扉８１を閉じた状態にしている。また、揺動体９４の先端の支持孔９４ａに挿入支持されたセラミック棒９１は、アーム先端９３ａとは反対に上方に位置し、バーナ２０から離れる。
つまみ８６を下げると、アーム先端９３ａは、引っ張りバネ９５の付勢力に逆らって上昇し、揺動板９４の先端に支持されるセラミック棒９１は、軸９６を支点としてバーナ２０の燃焼面上端まで下降する。この間に回動扉８１が開く。
【００４３】
上述したグリル付テーブルこんろにおいて、調理の様子を確認したい時は、つまみ８６を開位置へ操作することにより、回動扉８１が開くと共に、図１５（ａ）に示されるように、セラミック棒９１がバーナ２０の燃焼面上端まで下降し、火炎であぶられて１０００℃〜１１００℃程度に赤熱され、温度放射による赤色の光を発して被調理物Ｆを照明する。
確認後、つまみ８６から手を離すと引っ張りバネ８５の付勢力により、自動的に閉位置に戻り、回動扉８１が閉まると同時に、図１５（ｃ）に示されるように、セラミック棒９１がバーナ２０から離れる位置に上昇し、赤熱しなくなる。尚、図１５（ｂ）は、回動扉８１の開閉途中を示している。
従って、第１実施形態のグリル付テーブルこんろと同様に、照明のための手動操作部を開閉扉８１の開閉装置とは別に設けなくてもよく、製造コストを抑えることができる。
【００４４】
また、つまみ８６を操作しない限り、セラミック棒９１が常に持ち上げられているため、庫内の様子を確認しない時はセラミック棒９１を赤熱させることがなく、セラミック棒９１の寿命が延び、長期に渡ってセラミック棒９１を使用することができる。
しかも、グリルの照明に乾電池を使わないので乾電池の寿命に影響されず、末長くグリル３を照明できる。また、乾電池交換の手間がかからない。
【００４５】
以上本発明の実施形態について説明したが、本発明はこうした実施形態に何等限定されるものではなく、本発明の要旨を逸脱しない範囲において、種々なる態様で実施し得ることは勿論である。
例えば、本実施形態では、片面焼きグリルにおいて説明したが、焼網の上下にバーナを設けた両面焼きグリルに適用しても差し支えない。
また、バーナをグリル庫天井面などの上部に設けてもよい。
また、第３実施形態においてセラミック棒を赤熱させる代わりに金属棒を赤熱させてもよい。
【００４６】
【発明の効果】
以上詳述したように、本発明の請求項１記載のガスグリル付きテーブルこんろによれば、汚れ防止手段の開閉操作をするだけで自動的に照明手段の点灯・消灯を切り替えることができ、操作が簡単で使い易い。
また、照明の切り替えを手動操作する機構を開閉操作手段とは別に新たに設けなくてもよく、製造コストを抑えることができ、しかも、照明切替の手動操作機構のためのスペースが不要になる。
加えて、被調理物の焼け具合を確認したい時だけ照明手段が点灯するため、照明手段の寿命が延び、長期に渡って照明手段を使用することができる。
【００４７】
更に、本発明の請求項２記載のガスグリル付きテーブルこんろによれば、被調理物の焼け具合を確認したい時だけ、汚れ防止手段を開いてグリル庫内を照明し、それ以外の時は照明手段が覗き窓と同様に調理スペースから隠れるため、照明手段に被調理物から飛散してくる油が付着することを防止できる。
従って、長期に渡ってグリルを使用しても、油汚れの付着により照度が弱まることなく、被調理物の焼け具合を良好に確認できる。
【００４８】
更に、本発明の請求項３記載のガスグリル付きテーブルこんろによれば、汚れ防止手段が閉方向に付勢されているため、汚れ防止手段の閉操作をする必要が無く、被調理物からの油によって覗き窓が汚れることを防止でき、しかも、照明手段の消灯操作をする必要も無く、照明手段を長期に渡って使用することができる。  つまり、汚れ防止手段の閉め忘れや、照明手段の消し忘れを防止できる。
【図面の簡単な説明】
【図１】第１実施形態のグリルを側面からみた断面図である。
【図２】第１実施形態のグリルを側面からみた断面図である。
【図３】第１実施形態のグリルを正面からみた断面図である。
【図４】第１実施形態の覗き窓組立を側面からみた断面図である。
【図５】覗き窓組立を正面からみた断面図である。
【図６】窓受けの斜視図である。
【図７】覗き窓組立の一部を上面からみた断面図である。
【図８】第１実施形態の覗き窓組立を外したテーブルこんろの外観図である。
【図９】テーブルこんろの外観図である。
【図１０】第２実施形態のグリルの一部を上面からみた断面図である。
【図１１】第３実施形態のグリルの一部を側面からみた断面図である。
【図１２】第３実施形態のグリルの一部を側面からみた断面図である。
【図１３】第３実施形態のグリルの一部の斜視図である。
【図１４】第３実施形態のグリルの一部の斜視図である。
【図１５】第３実施形態のグリルの一部を正面からみた断面図である。
【図１６】従来例のグリルを側面からみた断面図である。
【符号の説明】
１，２，３…グリル、１２…グリル庫、２０…バーナ、３０，９２…グリル天板、３８…覗き窓組立、４０…覗き窓、５５…ランプ、５６…照明スイッチ、６５…炎色反応源、６７…電極、８１…回動扉、８２…リンク棒、８３…Ｌ型アーム、８６…つまみ、９１…セラミック棒、９３…Ｓ型アーム、９４…揺動板。
【図１】
0004403317.tif 000002
【図２】
0004403317.tif 000003
【図３】
0004403317.tif 000004
【図４】
0004403317.tif 000005
【図５】
0004403317.tif 000006
【図６】
0004403317.tif 000007
【図７】
0004403317.tif 000008
【図８】
0004403317.tif 000009
【図９】
0004403317.tif 000010
【図１０】
0004403317.tif 000011
【図１１】
0004403317.tif 000012
【図１２】
0004403317.tif 000013
【図１３】
0004403317.tif 000014
【図１４】
0004403317.tif 000015
【図１５】
0004403317.tif 000016
【図１６】
0004403317.tif 000017